(57)【要約】【課題】特定の材質によらずホルダーに柔軟性を付与することができ、また、ホルダーを弾性変形させた際、ペン体とインキ誘導芯の先端近傍との接触状態が安定している筆記具を提供しようとするものである。【解決手段】軸筒内にインキを収容し、前記軸筒先端のペン体にインキ誘導芯を介して前記インキを供給するマーキングペンであって、先端部に前記ペン体を保持し且つ前記軸筒の先端部に筒状のホルダー部を備え、前記ホルダーのペン体保持部より後方且つ前記軸筒先端より前方の前記ホルダー側壁に、径方向外方及び径方向内方に開口する複数の切欠が、軸方向に異なる位置に形成され、前記ホルダーの前記切欠相互間に鍔部が形成され、前記ホルダーの前記鍔部相互間は連結部によって連結され、前記インキ誘導芯が前記ペン体に接続される。【選択図】  図１
2018103429.tif 000002
【特許請求の範囲】
【請求項１】
軸筒内にインキを収容し、前記軸筒先端のペン体にインキ誘導芯を介して前記インキを供給するマーキングペンであって、
先端部に前記ペン体を保持する筒状のホルダー部を前記軸筒の先端部に備え、
前記ホルダー部のペン体保持部より後方且つ前記軸筒先端より前方の前記ホルダー部側壁に、径方向外方及び径方向内方に開口する複数の切欠が、軸方向に異なる位置に形成され、
前記ホルダー部の前記切欠相互間に鍔部が形成され、
前記ホルダー部の前記鍔部相互間は連結部によって連結され、
前記インキ誘導芯が前記ペン体に接続される
ことを特徴とするマーキングペン。
【請求項２】
前記ペン体は後方に開口する内孔を備え、
前記インキ誘導芯の先端部が、
前記ペン体の内孔に挿着されてなる
ことを特徴とする請求項１記載のマーキングペン。
【請求項３】
前記インキ誘導芯は、
前記鍔部のホルダー部内面に非接触である
ことを特徴とする請求項１又は２に記載のマーキングペン。
【請求項４】
前記ホルダー部は樹脂製である
ことを特徴とする請求項１乃至３のいずれか一項に記載のマーキングペン。
【請求項５】
軸筒内にインキを収容し、前記軸筒先端のペン体にインキ誘導芯を介して前記インキを供給するマーキングペンであって、
先端部に前記ペン体を保持する筒状のホルダー部を前記軸筒の先端部に備え、
前記ホルダー部のペン体保持部より後方且つ前記軸筒先端より前方の前記ホルダー部側壁に、径方向外方及び径方向内方に開口する少なくとも１つ以上の螺旋状の切欠が形成され、
前記ホルダー部の前記切欠相互間に連結部が形成され、
前記インキ誘導芯が前記ペン体に接続される
ことを特徴とするマーキングペン。
【発明の詳細な説明】
【技術分野】
【０００１】
本発明は、マーキングペンに関する。詳細には、軸筒内にインキを収容し、前記インキを前記軸筒先端のペン体にインキ誘導部材を介して供給するマーキングペンに関する。
【背景技術】
【０００２】
従来、特許文献１には、先端にボールを回動自在に取り付けたボールペンチップの円筒中間部に、２本以上の縦リブを残して切欠部を形成し、チップ内にインキを導出するためのインキ中継芯を内装し、該チップの基部を軸筒本体に取り付けたボールペンが記載されている。
【先行技術文献】
【特許文献】
【０００３】
【特許文献１】実公昭５９−０１６２２７号公報
【発明の概要】
【発明が解決しようとする課題】
【０００４】
前記特許文献１のボールペンは、縦リブ形成部分は樹脂でなければ円筒部（本願のホルダー部に相当）の柔軟性が得られないことより、材料の選択性に乏しい。また、中継芯（本願のインキ誘導芯に相当）が円筒部内面（本願のホルダー部内面に相当）及び縦リブの内面に接触していることより、円筒部を弾性変形させた際、チップ（本願のペン体に相当）と中継芯の先端との接触状態が不安定になるおそれがある。
【０００５】
本発明は、前記従来の問題点を解決するものであって、特定の材質によらずホルダー部に柔軟性を付与することができ、また、ホルダー部を弾性変形させた際、ペン体とインキ誘導芯の先端近傍との接触状態が安定している筆記具を提供しようとするものである。
【課題を解決するための手段】
【０００６】
本願の第１の発明は、
軸筒内にインキを収容し、前記軸筒先端のペン体にインキ誘導芯を介して前記インキを供給するマーキングペンであって、
先端部に前記ペン体を保持する筒状のホルダー部を前記軸筒の先端部に備え、
前記ホルダー部のペン体保持部より後方且つ前記軸筒先端より前方の前記ホルダー部側壁に、径方向外方及び径方向内方に開口する複数の切欠が、軸方向に異なる位置に形成され、
前記ホルダー部の前記切欠相互間に鍔部が形成され、
前記ホルダー部の前記鍔部相互間は連結部によって連結され、
前記インキ誘導芯が前記ペン体に接続される
ことを要件とする。
【０００７】
前記第１の発明のマーキングペンは、
前記ホルダー部のペン体保持部より後方且つ前記軸筒先端より前方の前記ホルダー部側壁（柔軟性付与部）に、径方向外方及び径方向内方に開口する複数の切欠が、軸方向に異なる位置に形成され、前記ホルダー部の前記切欠相互間に鍔部が形成され、前記ホルダー部の前記鍔部相互間は連結部によって連結されることより、強度のあるホルダー部に高い柔軟性を付与することができ、筆記時に筆記面の面全体が紙面に当接し、安定した筆記性能が得られる。
【０００８】
本願の第２の発明は、
前記ペン体は後方に開口する内孔を備え、
前記インキ誘導芯の先端部が、
前記ペン体の内孔に挿着されてなる
ことを要件とする。
【０００９】
前記第２の発明のマーキングペンは、
前記インキ誘導芯の先端部が、前記ペン体の内孔に挿着されてなることより、ホルダー部が撓んだ状態でも、インキ誘導芯が確実にペン体に接触し、ペン体全体に十分なインキを迅速に行き渡らせ、安定した筆記性能が得られる。
【００１０】
本願の第３の発明は、
前記インキ誘導芯は、
前記鍔部のホルダー部内面に非接触である
ことを要件とする。
【００１１】
前記第３の発明のマーキングペンは、
インキ誘導芯が前記鍔部のホルダー部内面に非接触であることより、ホルダー部が撓んだ状態でも撓んだホルダー部内面に沿ってインキ誘導芯が曲がることが無いため、インキ誘導芯とペン体後端の接触状態が適切に保たれ、より安定した筆記性能が得られる。
【００１２】
本願の第４の発明は、
前記ホルダー部は樹脂製である
ことを要件とする。
【００１３】
前記第４の発明のマーキングペンは、
ホルダー部が樹脂製であることより、より大きな且つ適切な柔軟性をホルダー部に付与することができる。
【００１４】
本願の第５の発明は、
軸筒内にインキを収容し、前記軸筒先端のペン体にインキ誘導芯を介して前記インキを供給するマーキングペンであって、
先端部に前記ペン体を保持する筒状のホルダー部を前記軸筒の先端部に備え、
前記ホルダー部のペン体保持部より後方且つ前記軸筒先端より前方の前記ホルダー部側壁に、径方向外方及び径方向内方に開口する少なくとも１つ以上の螺旋状の切欠が形成され、
前記ホルダー部の前記切欠相互間に連結部が形成され、
前記インキ誘導芯が前記ペン体に接続される
ことを要件とする。
【００１５】
前記第５の発明のマーキングペンは、
前記ホルダー部のペン体保持部より後方且つ前記軸筒先端より前方の前記ホルダー部側壁に、径方向外方及び径方向内方に開口する少なくとも１つ以上の螺旋状の切欠が形成され、前記ホルダー部の前記切欠相互間に連結部（または鍔部）が形成されることより、強度のあるホルダー部に高い柔軟性を付与することができ、筆記時に筆記面の面全体が紙面に当接し、安定した筆記性能が得られる。
【発明の効果】
【００１６】
本発明のマーキングペンは、
強度のあるホルダー部に高い柔軟性を付与することができ、筆記時に筆記面の面全体が紙面に当接し、安定した筆記性能を得ることができる。
【図面の簡単な説明】
【００１７】
【図１】本発明のホルダー部を備えたマーキングペンの第１の実施の形態の図である。
【図２】図１の要部拡大縦断面図である。
【図３】本発明の第１の実施の形態のホルダー部近傍の（ａ）正面図及び（ｂ）底面図である。
【図４】図３の要部拡大縦断面図である。
【図５】図４の切断線Ａ−Ａ及び切断線Ｂ−Ｂにおける（Ａ−Ａ）断面図及び（Ｂ−Ｂ）断面図である。
【図６】本発明の第１の実施の形態の要部拡大斜視図である。
【図７】本発明の第２の実施の形態のホルダー部近傍の（ａ）正面図及び（ｂ）底面図である。
【図８】本発明の第２の実施の形態の要部拡大斜視図である。
【図９】本発明の第３の実施の形態のホルダー部近傍の（ａ）正面図及び（ｂ）底面図である。
【図１０】図９の要部拡大縦断面図である。
【図１１】図１０の切断線Ｃ−Ｃ、切断線Ｄ−Ｄ及び切断線Ｅ−Ｅにおける（Ｃ−Ｃ）断面図、（Ｄ−Ｄ）断面図及び（Ｅ−Ｅ）断面図である。
【図１２】本発明の第３の実施の形態の要部拡大斜視図である。
【図１３】本発明の第４の実施の形態のホルダー部近傍の（ａ）正面図及び（ｂ）底面図である。
【図１４】図１３の要部拡大縦断面図である。
【図１５】図１４の切断線Ｆ−Ｆ、切断線Ｇ−Ｇ及び切断線Ｈ−Ｈにおける（Ｆ−Ｆ）断面図、（Ｇ−Ｇ）断面図及び（Ｈ−Ｈ）断面図である。
【図１６】本発明の第４の実施の形態の要部拡大斜視図である。
【図１７】本発明の第５の実施の形態のホルダー部近傍の（ａ）正面図及び（ｂ）底面図である。
【図１８】図１７の要部拡大縦断面図である。
【図１９】図１８の切断線Ｉ−Ｉ、切断線Ｊ−Ｊ及び切断線Ｋ−Ｋにおける断面図（Ｉ−Ｉ）、断面図（Ｊ−Ｊ）及び断面図（Ｋ−Ｋ）である。
【図２０】本発明の第５の実施の形態の要部拡大斜視図である。
【図２１】本発明の第６の実施の形態の要部拡大縦断面図である。
【発明を実施するための形態】
【００１８】
本発明のマーキングペンの実施の形態を図１乃至図２１に示す。
【００１９】
〈第１の実施の形態〉
図１乃至図６に本発明の第１の実施の形態を示す。
本実施の形態のマーキングペン１は、ペン体３と、インキ保留部材５と、ペン体３及びインキ保留部材５とを結合させるホルダー部４と、インキを直接収容する軸筒２１と、軸筒２１中のインキをペン体３に誘導するインキ誘導芯６を備えた筆記具本体２からなる。
【００２０】
・軸筒
軸筒２１は、合成樹脂の射出成形より得られる前端が開口され且つ後端が閉鎖された有底円筒体からなる。軸筒２１の前端開口部２１ａの内面は、インキ保留部材５が嵌合される。
【００２１】
・インキ収容部
インキ収容部２１ｂは、前端が開口され且つ後端が閉鎖された有底円筒体の軸筒２１の内部に形成される。インキ収容部２１ｂの内周面には、軸方向に延びる４本のリブ２１ｃが等間隔に一体に形成される。また、リブ２１ｃはインキ保留部材５のストッパも兼ねる。
【００２２】
・ペン体
ペン体３は、ポリエステル繊維の樹脂加工より得られる円筒体からなる。該ペン体３は、筆記先端部３１の両側に先細傾斜面３２を有し、後端に嵌合部３３を有する。ペン体３は、後方に開口する内孔３３ａを備え、該内孔３３ａにインキ誘導芯６が挿着される。
【００２３】
前記ペン体３は、ポリエステル繊維の樹脂加工体である他、繊維束の熱融着加工体、フェルト加工体、先端にスリットを有する万年筆型板状ペン体、毛筆ペン体、合成樹脂の多孔質気泡体、軸方向のインキ誘導路を有する合成樹脂の押出成形体等を備えたマーキングペンのペン体であってもよい。
【００２４】
・インキ誘導芯
インキ誘導芯６は、ペン体３の内孔３３ａに挿着される。インキ誘導芯６は毛細管力を有する軸方向のインキ導出路を備えるものであればいずれであってもよく、本実施例では、繊維の樹脂加工により得られる棒状体が採用されているが、これ以外にも、例えば、多孔質体、剛性樹脂の押出成形体が挙げられる。
【００２５】
インキ誘導芯６がホルダー部内面４４に非接触である。それにより、ホルダー部４が撓んだ状態でも撓んだホルダー部内面４４に沿ってインキ誘導芯が曲がることが無いため、インキ誘導芯６とペン体３後端の接触状態が適切に保たれ、より安定した筆記性能が得られる。また、同様の理由で、インキ誘導芯６は内孔３３ａの最深部に当接しない状態で挿着されることが好ましい。
【００２６】
・インキ保留部材
インキ保留部材５は、インキ収容部２１ｂ内の圧力上昇に応じた余剰インキを一時的に保持する部材である。インキ保留部材５は、複数の櫛歯よりなるインキ保留部５１(櫛溝部)と、該インキ保留部５１の後端（即ち後端櫛歯５２後端面）と、インキ保留部５１の前端より前方に突出された取付部５３とが、一体に形成された合成樹脂（例えば、ＡＢＳ樹脂）の射出成形体よりなる。また、インキ保留部材５の軸心には、軸方向に延び且つ両端が開口された軸心孔５４が設けられる。軸心孔５４にはインキ誘導芯６が挿着される。取付部５３には、ホルダー部４が取り付けられる。尚、本考案におけるインキ保留部材５は、構成以外にも、インキ保留部５１が螺旋状溝や迷路状溝からなるもの、あるいは、インキ保留部５１が繊維材料または多孔質材料からなるもの等、いずれであってもよい。
【００２７】
軸心孔５４には、インキ誘導芯６が挿着される。インキ誘導芯６の前端は、ペン体３に接続され、インキ誘導芯６の後端は、インキ保留部材５の後端面と略一致または突出している。
【００２８】
・ホルダー部
ホルダー部４は、例えば、金属加工部材または合成樹脂の射出成形より得られる円筒体からなる。ホルダー部４の前方のペン体保持部４１内面とペン体３外面が嵌合され、ホルダー部４の後方の本体取付部４２内面とインキ保留部材５の取付部５３が嵌合される。また、ホルダー部４と取付部５３（インキ保留部材５）は一体成型品であると部品点数が減ってより好ましい。
【００２９】
前記ホルダー部４は、金属または合成樹脂材からなるものであればよく、前記合成樹脂材料として例えば、ポリプロピレン、ポリエチレン、ポリスチレン、ポリカーボネート、ポリエチレンテレフタレート、ポリアセタール、アクリル、ナイロン、アクリロニトリル・スチレン共重合樹脂（ＡＳ樹脂）、アクリロニトリル・ブタジエン・スチレン共重合樹脂（ＡＢＳ樹脂）等の比較的硬質な合成樹脂が例示できる。また、金属であればアルミニウム合金が例示できる。
【００３０】
・切欠
ホルダー部４のペン体保持部４１より後方且つ本体取付部４２より前方のホルダー部側壁４３に、径方向外方及び径方向内方に開口する半円状の複数の切欠４３ａが、軸方向に異なる位置に形成され、切欠４３ａ相互間に鍔部４３ｂが形成される。すなわち、切欠４３ａはホルダー部側壁４３からホルダー部内面４４まで貫通している。また、鍔部４３ｂ相互間は連結部４３ｃによって連結される。
【００３１】
ホルダー部４のホルダー部側壁４３に、複数の切欠４３ａが、軸方向に異なる位置に形成され、切欠４３ａ相互間に半円板状の鍔部４３ｂが形成されることにより、ホルダー部４に柔軟性を付与することができる。
【００３２】
図３の様に、
筆記面３４の長辺方向Ｘに垂直に貫通し、長辺方向Ｘに開口する切欠４３ａが設けられている場合、ホルダー部４に筆記面３４の長辺方向Ｘの柔軟性を付与することができる。
【００３３】
ホルダー部４に筆記面３４の長辺方向Ｘの柔軟性を付与することができることで、筆記する者が、自らが筆記面３４を紙面に沿わせることが不要となり、筆記先端部３１に過度な筆圧が掛からないため筆記先端部３１が潰れることを防ぐことができるとともに、より容易に良好な筆跡を得ることができる。
【００３４】
また、鍔部４３ｂ相互間は連結部４３ｃによって連結されることより、連結部４３ｃを支点としてペン体３が撓り、より高い柔軟性をホルダー部４に付与することができる。
【００３５】
〈第２の実施の形態〉
図７または図８に本発明の第２の実施の形態を示す。
図７の様に、
筆記面３４の短辺方向Ｙに垂直に貫通し、短辺方向Ｙに開口する切欠４３ａが設けられている場合、ホルダー部４に筆記面３４の短辺方向Ｙの柔軟性を付与することができる。
【００３６】
ホルダー部４に筆記面３４の短辺方向Ｙの柔軟性を付与することで、筆記先端部３１に過度な筆圧が掛からないため筆記先端部３１が潰れることを防ぐことができる。また、ホルダー部４に柔軟性がない場合に比べて筆感が柔らかくなり、切欠４３ａの寸法や数量によって任意の筆感に設定することができる。
【００３７】
〈第３の実施の形態〉
図９乃至図１２に本発明の第３の実施の形態を示す。
図９の様に、
筆記面３４の長辺方向Ｘに垂直に貫通し、長辺方向Ｘに開口する切欠４３ａと、筆記面３４の短辺方向Ｙに垂直に貫通し、短辺方向Ｙに開口する切欠４３ａが軸方向に交互に形成されている場合、ホルダー部４に径方向及び軸方向の全方向の柔軟性を付与することができる。
【００３８】
ホルダー部４に径方向及び軸方向の全方向の柔軟性を付与することで、筆記時に筆記面３４の面全体が紙面に当接し、安定した筆記性能が得られるとともに、筆記先端部３１に過度な筆圧が掛からないため筆記先端部３１が潰れることを防ぐことができる。また、ホルダー部４に柔軟性がない場合に比べて筆感が柔らかくなり、切欠４３ａの寸法や数量によって任意の筆感に設定することができる。
【００３９】
〈第４の実施の形態〉
図１３乃至図１６に本発明の第４の実施の形態を示す。
図１３の様に、
筆記面３４の長辺方向Ｘに垂直に貫通し、長辺方向Ｘに開口する異形の切欠４３ａと、筆記面３４の短辺方向Ｙに垂直に貫通し、短辺方向Ｙに開口する異形の切欠４３ａが軸方向に交互に形成されている場合、ホルダー部４に前記第３の実施の形態と同様の柔軟性を付与することができるとともに、同様の効果も得られる。
【００４０】
切欠４３ａは帯状の形態に関わらず、ホルダー部４に柔軟性を付与することができれば任意の形状で設定することができる。
【００４１】
〈第５の実施の形態〉
図１７乃至図２０に本発明の第５の実施の形態を示す。
図１７の様に、
ホルダー部側壁４３に、径方向外方及び径方向内方に開口する少なくとも１つ以上の螺旋状の切欠４３が形成されている場合、つまりホルダー部側壁４３に少なくとも１つ以上の切欠４３ａが螺刻されている場合、ホルダー部４に前記第３の実施の形態と同様の柔軟性を付与することができるとともに、同様の効果も得られる。
【００４２】
ホルダー部側壁４３に、切欠４３ａが螺刻されている場合、螺旋状の連結部４３ｃ（または鍔部４３ｂ）が形成される。
【００４３】
〈第６の実施の形態〉
・柔軟性抑制部材
図２１に本発明の第６の実施の形態を示す。
柔軟性抑制部材７は、例えば、金属加工部材または合成樹脂の射出成形より得られる円筒体からなる。また、図２１の様にホルダー部４に柔軟性抑制部材７を嵌着することで、ホルダー部４に付与されている柔軟性を抑制することができる。
【００４４】
また、柔軟性抑制部材７の着脱により、ホルダー部４の柔軟性の有無を任意に設定することができる。また、柔軟性抑制部材７自体が柔軟性を有する場合、ホルダー部４に柔軟性抑制部材７を冠着することで任意の柔軟性に変化させることができる。
【符号の説明】
【００４５】
１  マーキングペン
２  筆記具本体
２１  軸筒
２１ａ  前端開口部
２１ｂ  インキ収容部
２１ｃ  リブ
３  ペン体
３１  筆記先端部
３２  先細傾斜面
３３  嵌合部
３３ａ  内孔
３４  筆記面
４  ホルダー部
４１  ペン体保持部
４２  本体取付部
４３  ホルダー部側壁
４３ａ  切欠
４３ｂ  鍔部
４３ｃ  連結部
４４  ホルダー部内面
５  インキ保留部材
５１  インキ保留部
５２  後端櫛溝
５３  取付部
５４  軸芯孔
６  インキ誘導芯
７  柔軟性抑制部材
【図１】
2018103429.tif 000003
【図２】
2018103429.tif 000004
【図３】
2018103429.tif 000005
【図４】
2018103429.tif 000006
【図５】
2018103429.tif 000007
【図６】
2018103429.tif 000008
【図７】
2018103429.tif 000009
【図８】
2018103429.tif 000010
【図９】
2018103429.tif 000011
【図１０】
2018103429.tif 000012
【図１１】
2018103429.tif 000013
【図１２】
2018103429.tif 000014
【図１３】
2018103429.tif 000015
【図１４】
2018103429.tif 000016
【図１５】
2018103429.tif 000017
【図１６】
2018103429.tif 000018
【図１７】
2018103429.tif 000019
【図１８】
2018103429.tif 000020
【図１９】
2018103429.tif 000021
【図２０】
2018103429.tif 000022
【図２１】
2018103429.tif 000023